(57)【要約】    【課題】記憶媒体に記憶されたコンテンツへの不正なアクセスを防止する    【解決手段】マルチメディア記憶装置１０は、装置外にあるクライアント・デバイスへアクセス可能な非制限領域を有し、非制限領域上に記憶されたデジタル・マルチメディアはクライアント・デバイスによってアクセス可能である。また、この装置は、クライアント・デバイスへは常時アクセス不可能であるデジタル・マルチメディアを含む制限領域２８を有する。しかし、制限領域内のデジタル・マルチメディアは、常に、かつあらゆる環境下において、制限領域内のデジタル・マルチメディアをアナログ・フォーマットに変換した後で、クライアント・デバイスにマルチメディアが包含するコンテンツへのアクセスを許可する装置内のコントローラ１８によってのみアクセス可能である。【選択図】図２
2005032248.tif 000002
【特許請求の範囲】
【請求項１】
少なくとも一つのアナログ専用読み取り部分を有するデータ記憶媒体と、
前記媒体を制御するとともにデジタル・アナログ回路を含み、前記アナログ専用読み取り部分内に記憶されたデジタル化マルチメディアをアナログ・フォーマットに変換するために、前記アナログ専用読み取り部分へアクセスすることを前記デジタル・アナログ回路のみに許可するコントローラと、
を具備することを特徴とするマルチメディア・データを記憶する装置。
【請求項２】
前記アナログ専用読み取り部分が前記記憶媒体の物理的部分として包含されることを特徴とする請求項１記載の装置。
【請求項３】
前記アナログ専用読み取り部分が前記記憶媒体の論理的部分として包含されることを特徴とする請求項１記載の装置。
【請求項４】
前記アナログ専用読み取り部分を前記デジタル・アナログ回路に接続する経路を除き、前記部分からのデジタル出力経路が前記装置上に存在しないことを特徴とする請求項１記載の装置。
【請求項５】
前記コントローラおよび記憶媒体が一つのハウジング内に封着されていることを特徴とする請求項１記載の装置。
【請求項６】
前記装置がハード・ディスク・ドライブであり、前記記憶媒体が少なくとも一つのディスクであることを特徴とする請求項５記載の装置。
【請求項７】
前記コントローラがハード・ディスク・ドライブ・コントローラであることを特徴とする請求項６記載の装置。
【請求項８】
前記アナログ専用読み取り部分上に記憶されていないデジタル・マルチメディアへのアクセスを許可するために、前記記憶媒体と前記コントローラとを保持するハウジング上にデジタル・マルチメディア出力端子をさらに具備することを特徴とする請求項１記載の装置。
【請求項９】
前記ハウジングが、前記ハウジングの外部から前記アナログ専用読み取り部分内のデジタル・マルチメディアへのアクセスを許可するための端子を含まないことを特徴とする請求項５記載の装置。
【請求項１０】
終了時間後に、前記アナログ専用読み取り部分内に記憶された前記デジタル化マルチメディアが効果的にアクセス不可能になることを特徴とする請求項１記載の装置。
【請求項１１】
外部のクライアント・デバイスへアクセス可能な非制限領域であり、前記非制限領域上に記憶されたデジタル・マルチメディアが前記クライアント・デバイスによってアクセスできるような非制限領域と、
前記クライアント・デバイスへは常時アクセス不可能であるデジタル・マルチメディアを含む制限領域であり、前記制限領域内の前記デジタル・マルチメディアは前記装置内のコントローラによってのみアクセス可能であり、前記コントローラは常に、かつあらゆる環境下において、内部の前記デジタル・マルチメディアをアナログ・フォーマットに変換した後に、前記マルチメディアで具現化されたコンテンツへのアクセスをクライアント・デバイスに許可する制限領域と、
を具備することを特徴とするマルチメディア記憶装置。
【請求項１２】
前記媒体を制御し、かつデジタル・アナログ回路を包含するコントローラであって、前記制限領域内に記憶されたデジタル化されているマルチメディアをアナログ・フォーマットに変換するために、前記デジタル・アナログ回路のみに前記制限領域へアクセスすることを許可するコントローラを具備することを特徴とする請求項１１記載の装置。
【請求項１３】
前記制限領域が前記記憶媒体の物理的部分として包含されることを特徴とする請求項１２記載の装置。
【請求項１４】
前記制限領域が前記記憶媒体の論理的部分として包含されることを特徴とする請求項１２記載の装置。
【請求項１５】
前記部分を前記デジタル・アナログ回路へ接続する経路を除いては前記制限領域からのデジタル出力経路が前記装置上に存在しないことを特徴とする請求項１２記載の装置。
【請求項１６】
前記コントローラおよび記憶媒体が一つのハウジング内に封着されていることを特徴とする請求項１２記載の装置。
【請求項１７】
前記装置がハード・ディスク・ドライブであり、前記記憶媒体が少なくとも一つのディスクであることを特徴とする請求項１６記載の装置。
【請求項１８】
前記コントローラがハード・ディスク・ドライブ・コントローラであることを特徴とする請求項１７記載の装置。
【請求項１９】
前記非制限領域内のデジタル・マルチメディアへのアクセスを許可するために、前記記憶媒体と前記コントローラとを保持するハウジング上にデジタル・マルチメディア出力端子をさらに具備することを特徴とする請求項１２記載の装置。
【請求項２０】
前記ハウジングが、前記ハウジングの外部から前記制限領域内のデジタル・マルチメディアへのアクセスを許可するための端子を含まないことを特徴とする請求項１６記載の装置。
【請求項２１】
終了時間後に、前記制限領域内に記憶された前記デジタル化マルチメディアが効果的にアクセス不可能になることを特徴とする請求項１１記載の装置。
【請求項２２】
娯楽システムと、マルチメディアに対する要求を受信するために前記娯楽システムと連携したマルチメディア記憶装置とを具備するマルチメディア・プレーヤ・システムであって、前記記憶装置は、マルチメディアが前記記憶装置の記憶媒体上にある制限領域内に記憶されていない場合、前記マルチメディアをデジタル・フォーマットで前記娯楽システムに伝送し、その場合、前記マルチメディアがまずアナログ・フォーマットに変換された後に、前記マルチメディアを前記娯楽システムに送信することを特徴とするマルチメディア・プレーヤ・システム。
【請求項２３】
前記媒体を制御し、かつデジタル・アナログ回路を包含するコントローラであって、前記制限領域内に記憶されたデジタル化マルチメディアをアナログ・フォーマットに変換するために、前記デジタル・アナログ回路のみに前記制限領域へアクセスすることを許可するコントローラを具備することを特徴とする請求項２２記載のシステム。
【請求項２４】
前記制限領域が前記記憶媒体の物理的部分として具現化されることを特徴とする請求項２３記載のシステム。
【請求項２５】
前記制限領域が前記記憶媒体の論理的部分として具現化されることを特徴とする請求項２３記載のシステム。
【請求項２６】
前記部分を前記デジタル・アナログ回路へ接続する経路を除いては前記制限領域からのデジタル出力経路が前記マルチメディア記憶装置上に存在しないことを特徴とする請求項２３記載のシステム。
【請求項２７】
前記コントローラおよび記憶媒体が一つのハウジング内に封着されていることを特徴とする請求項２３記載のシステム。
【請求項２８】
前記マルチメディア記憶装置がハード・ディスク・ドライブであり、前記記憶媒体が少なくとも一つのディスクであることを特徴とする請求項２７記載のシステム。
【請求項２９】
前記コントローラがハード・ディスク・ドライブ・コントローラであることを特徴とする請求項２８記載のシステム。
【請求項３０】
前記非制限領域内のデジタル・マルチメディアへアクセスすることを許可するために、前記記憶媒体と前記コントローラとを保持するハウジング上にデジタル・マルチメディア出力端子をさらに具備することを特徴とする請求項２３記載のシステム。
【請求項３１】
前記ハウジングが、前記ハウジングの外部から前記制限領域内のデジタル・マルチメディアへのアクセスを許可するための端子を含まないことを特徴とする請求項２７記載のシステム。
【請求項３２】
終了時間後に、前記制限領域内に記憶された前記マルチメディアが効果的にアクセス不可能になることを特徴とする請求項２２記載のシステム。
【請求項３３】
マルチメディア・コンテンツを提供する方法であって、
デジタル形式の前記コンテンツを包含するデータ記憶装置を提供するステップと、
前記記憶装置の購入、前記記憶装置の賃借、前記記憶装置上への前記コンテンツのロードのうちの少なくとも一つに対する代金をユーザに請求するステップと、
デジタル化されている形式の前記コンテンツへの、前記装置の外部からのアクセスを防止するステップと、
前記コンテンツをアナログ形式でのみ、前記記憶装置の外部へ伝送するステップと、
を含む方法。
【発明の詳細な説明】
【技術分野】
【０００１】
本発明は、一般に、マルチメディア記憶装置に関する。
【背景技術】
【０００２】
ビット単位で容易にコピー可能であるデジタル・コンテンツの権利を維持する問題は、重大なものである。デジタル・マルチメディアから完全コピーすることが可能である以上、デジタル・コンテンツの著作権は無制限に侵害され得ることになる。
【０００３】
年間数十億ドルというこの難問の規模を縮小するために、多種の暗号化および復号化方式を含むデジタル著作権管理（ＤＲＭ）方式が提案されてきた。
【発明の開示】
【発明が解決しようとする課題】
【０００４】
それでもなお、デジタル・コンテンツは、それが暗号化されているかどうかに関係なくコピー・記憶することができ、そうなると、暗号化しても、無許可の当事者により結局復号化されやすいことには変わりない。このことは、ＣＤ技術、ＤＶＤ技術、ストリーミング映像技術、ＨＤＴＶ技術、あるいはこれらを組み合わせた技術が使用されているかどうかにかかわらずあてはまる。換言すれば、いかにＤＲＭ方式が強力であっても、ひとたびデジタル・コンテンツが伝送可能になってしまえば、暗号化されていようとなかろうと、決然たるコピー者によって「クラック」されることに対しては脆弱である。
【０００５】
この重要な考察を行った上で、本願明細書で開示する本発明を提供する。
【課題を解決するための手段】
【０００６】
マルチメディア・データを記憶する装置には、アナログ専用読み取り部分を有するデータ記憶媒体が含まれる。コントローラは、この媒体を制御するとともに、デジタル・アナログ回路を備えている。このコントローラは、アナログ専用読み取り部分内に記憶されたデジタル化マルチメディアをアナログ・フォーマットに変換するために、アナログ専用読み取り部分へのアクセスをデジタル・アナログ回路のみに許可している。
【０００７】
好適な実施態様において、アナログ専用読み取り部分は、記憶媒体の物理的部分として具現化される。この部分は記憶媒体の論理的部分としても具現化してもよい。この部分をデジタル・アナログ変換回路へ接続する経路を除き、アナログ専用読み取り部分からのデジタル出力経路は装置上に存在しない。
【０００８】
コントローラおよび記憶媒体は、ハウジング内に封着することができる。装置はハード・ディスク・ドライブであってもよく、記憶媒体は少なくとも一つのディスクとすることが可能である。このような実施態様において、コントローラはハード・ディスク・ドライブ・コントローラであってもよい。
【０００９】
アナログ専用読み取り部分上に記憶されていないデジタル・マルチメディアへのアクセスを許可するために、デジタル・マルチメディア出力端子がハウジング上に提供されてもよい。対照的に、ハウジングの外部からアナログ専用読み取り部分内のデジタル・マルチメディアへのアクセスを許可する端子は、ハウジングには一切含まない。
【００１０】
別の態様において、マルチメディア記憶装置には、この装置外にあるクライアント・デバイスへアクセス可能な非制限領域が含まれ、非制限領域上に記憶されたデジタル・マルチメディアにはこのクライアント・デバイスからアクセスしてもよい。マルチメディア記憶装置は、クライアント・デバイスへは常時アクセス不可能なデジタル・マルチメディアを含む制限領域をも包含する。その代わり、制限領域内のデジタル・マルチメディアは、装置内のコントローラによってのみアクセスすることができ、これは制限領域内のデジタル・マルチメディアが暗号化されているかどうかに関係ない。コントローラは常に、そしてあらゆる環境下において、制限領域内のデジタル・マルチメディアをアナログ・フォーマットに変換した後に、マルチメディアで具現化されるコンテンツへのアクセスをクライアント・デバイスに許可する。
【００１１】
さらに別の態様では、マルチメディア・プレーヤ・システムは、娯楽システムと、この娯楽システムと連携してマルチメディアに対する要求を受信するマルチメディア記憶装置とを含む。マルチメディアが記憶装置の記憶媒体上の制限領域内に記憶されていない場合、記憶装置は、デジタル・フォーマットのマルチメディアを娯楽システムに伝送する。この場合、マルチメディアは、娯楽システムに送信される前にまずアナログ・フォーマットに変換される。
【００１２】
別の態様において、マルチメディア・コンテンツの提供方法には、デジタル形式のコンテンツを包含するデータ記憶装置の提供が含まれる。この方法には、記憶装置の購入、または記憶装置の貸借、あるいは記憶装置上へのコンテンツのロードに対する代金をユーザに請求することが含まれる。デジタル化形式のコンテンツへの、装置の外からのアクセスは防止される。コンテンツは記憶装置外へ伝送され得るが、アナログ形式においてのみである。
【発明の効果】
【００１３】
本発明によれば、記憶媒体の制限領域内に記憶されたコンテンツへの不正なアクセスを防止することができる
【発明を実施するための最良の形態】
【００１４】
本発明の詳細は、その構造および運用の両方に関して、付属の図面を参照することにより最も良く理解されるであろう。なお、この図面において類似部分は同類の符号により参照される。
【００１５】
まず図１を参照すると、装置が図示され、全体として１０で示される。この装置は、記憶媒体１２上にマルチメディアおよびその他のデータを記憶するが、一実施態様における記憶媒体は、ハード・ディスク・ドライブ内にある複数の記憶ディスクが実装していてもよい。装置１０は、ハード・ディスク・ドライブとして実装される際に、ハード・ディスク・ドライブの原理に従って、読み出し／書き込みヘッド１６を先端に有するアーム１４を含む。データ記憶領域１２は、以下の論理によって変更された従来のハード・ディスク・ドライブ・コントローラにもできるコントローラ１８で管理してもよい。あるいは、コントローラ１８は、ハード・ディスク・ドライブ・コントローラとは別のコントローラであってもよい。
【００１６】
コントローラ１８は入出力端子２０で入力信号を受信することができる。データ入力インタフェースは、ハード・ディスク・ドライブ実装の場合には、どの記憶領域にデータを送信するかをユーザが特定できるような機能性を付加したシリアルＡＴＡであってもよい。入力信号は、ユーザからの読み出しおよび書き込み要求を含んでもよく、装置１０上に記憶されたコンテンツを再生しようとするクライアント・デバイスからのものを含んでもよい。以下でさらに詳しく論じるように、コントローラ１８と記憶媒体１２との間にデータ入出力経路２２が提供される。また、コントローラ１８は、デジタル化されているマルチメディア・コンテンツ、例えばデジタル化されている音声コンテンツを、デジタル・マルチメディア出力端子２４で出力してもよい。
【００１７】
さらに、図１に示すように、コントローラ１８はアナログ・マルチメディア・コンテンツをアナログ出力端子２６において出力してもよい。また、双方向型のユーザ制御、例えばゲーム・コントローラのために、制御入力端子２７を提供することもできる。必要なら、制御入力端子２７の機能は、入出力端子２０により実装してもよい。
【００１８】
以下に定義するように、アナログ・コンテンツとは、装置１０の制限領域２８内にデジタル形式で記憶されるコンテンツ（ＭＰＥＧ‐２、ＭＰＥＧ‐４など）であり、コントローラ１８によりデジタル・フォーマットからアナログ・フォーマットへ変換された後に、端子２６で出力されるコンテンツである。制限領域２８内に記憶されたコンテンツへは、他のいかなるアクセスも許可されない。つまり、デジタル・コンテンツが制限領域２８へ書き込まれることはあり得るが、コンテンツがアナログ形式に変換されていることに従って、コントローラ１８以外が読み取ることはできない。従って、制限領域２８は、記憶媒体１２のデジタル書き込み専用またはアナログ読み取り専用部分と考えることもできる。いずれにしても、制限領域２８は、物理的に定義されようと論理的に定義されようと、特にコントローラ１８による「制限付き」として設定される。
【００１９】
上記の領域がどのように使用され得るかの一例として、制限領域２８内に記憶されていた動画の映像部分がまずアナログ形式に変換されて端子２６で出力されるが、動画の音声部分は、記憶媒体１２上の非制限領域（すなわち制限領域２８以外の領域）上に記憶され、端子２４でデジタル化されている形式になって出力されてもよい。いずれにしても、コントローラ１８と記憶媒体１２は両方とも、一体型の耐タンパー性ハウジング３０に含まれるのが好ましい。
【００２０】
制限領域２８は物理的に定義されてもよい、すなわち、ハード・ディスク・ドライブ実装内におけるあるディスク、あるいはディスクのある特定部分が「制限付き」として設定されてもよい、ということを理解されたい。「制限付き」としてコンテンツの提供者によりフラグを立てられた着信するマルチメディア・データは、それに応じて、コントローラ１８が制限する領域２８上に記憶される。あるいは、制限領域２８は論理的に定義されてもよい。換言すれば、着信マルチメディア・コンテンツに「制限付き」というフラグを立てるか、あるいはコンテンツをテーブルまたは他のデータ構造内でそのように設定して記憶媒体１２上の任意の場所に記憶し、続いてその領域が制限領域２８となるようにコントローラ１８に設定させることができる。いずれの場合も、データがデジタル化されている形式で装置１０から出力されるかどうかに関する決定は変更することはできず、データが装置１０に書き込まれる時に確定されたままとなる。実際には、一旦データが制限領域２８に書き込まれると、装置１０の外部でデジタル化されている形式に回復することは不可能である。
【００２１】
図２は好適なコントローラ１８の詳細を図示する。コントローラ１８は単一の耐タンパー性チップ上に含まれていることが好ましい。
【００２２】
図２に図示されるコントローラ１８は、装置１０内のデータのフローを制御する。入出力ポート２７は制御信号（リモコン、ゲーム・コントローラ等、物理的フィードバックを含み得るもの、例えばＳｏｎｙ  ＰＳ２のコントローラ）のためのものである。あるいは、またはさらに、デジタル信号はデジタル入出力ポート２０を介して入力してもよい。デジタル信号はまず、データをアナログ出力専用にするか、デジタル出力を許可するかを決定するデータ制御ユニット３６に送信される。その決定は、コンテンツの提供者が提供するようにデータ内のコードに基づいて下すことができる。一旦この決定が下されると、それ以後はデータの状態を変更することはできない。
【００２３】
その後、デジタル・データは暗号化／復号化モジュール３４を通過する。データがまだ暗号化されていない場合は、モジュール３４内で暗号化される。そして信号が変調／復調およびエンコーディング／デコーディング・ブロック３２に送信され、そこで物理的媒体への記憶に適切なフォーマットに変換される。例えば、ハード・ディスク・ドライブに記憶するためであれば、データはＮＲＺ駆動電流に変換され、記録ヘッドに送信されることになる。
【００２４】
その後、データはデジタル出力ポート２２を介して送信されるが、このデジタル出力ポートは物理的な記憶媒体１２への経路である。コンテンツが「アナログ出力専用」に設定されている場合は、そのコンテンツは制限領域２８内の媒体１２上に記憶される。
【００２５】
上記の開示を念頭におくと、物理的媒体内に記憶されたデータの暗号化／復号化は（暗号化された形式で受信したものでなければ）、コントローラ１８内において暗号化／復号化モジュール３４で実行される。いずれにしても、「アナログ出力専用」に設定されるデータは（必要に応じて、他のコンテンツと同様）、常に暗号化された形式で物理的媒体１２内に記憶される。従って、仮に物理的媒体１２からコントローラ１８を切り離す者がいたとしても、「アナログ出力専用」として設定される暗号化していないデジタル・コンテンツにはアクセスできないということになる。
【００２６】
好適な一実施態様において、「アナログ出力専用」コンテンツ１個に対する復号化鍵が装置１０の公開鍵を用いて暗号化され、データと共に記憶される。マルチメディア記憶装置１０の私有鍵は、暗号化／復号化モジュール３４内に記憶される。公開鍵はコンテンツを提供する側には既知であるので、彼らはもはやほとんどの状況において、この装置１０の公開鍵で暗号化された暗号化鍵と共に、暗号化されたフォーマットでのデジタル・コンテンツを提供しようとする。上述したように、コンテンツが暗号化された形式で受信されると、モジュール３４はそれ以上何も実行せず、単にデジタル・ストリームを変調／エンコーディング・モジュール３２に転送するだけである。
【００２７】
マルチメディア装置からデータを出力しようとする場合（アナログ・フォーマット、あるいはデジタル・フォーマットのいずれの場合でも）、コントローラ１８が、暗号化されたコンテンツを物理的媒体から検索してモジュール３２内のリード・バック信号を処理すると、暗号化されたデジタル・データが、復号化のため暗号化／復号化モジュール３４に送信される。このデータと共に、装置１０の公開鍵で暗号化された復号化鍵が着信する。その後、暗号化／復号化モジュール３４は、装置１０の秘密鍵（モジュール３４のみが知っている）を用いて関連するコンテンツの復号化鍵を復号化した後、その復号化鍵を用いてデジタル・コンテンツを復号化する。その後、デジタル信号はデータ制御ユニット３６に送信される。
【００２８】
本発明によると、制御ユニット３６は、コンテンツの型式を、すなわち、アナログ形式においてのみ出力されるコンテンツ（つまり制限領域２８に記憶されることになっているコンテンツ）であるか、あるいは、デジタル形式で出力されてもよいコンテンツであるかを調べる。コンテンツがアナログ出力専用に設定されたものであれば、デジタル・ストリームはデジタル信号処理（ＤＳＰ）ユニット３８へ送信されるが、このユニットは、通常の再生機能、例えば再生、巻戻し、早送り、一旦停止、に対するユーザの要求に応答する。コンテンツは、このＤＳＰ３８からデジタル・アナログ変換器（ＤＡＣ）４０へ送信されてアナログ・フォーマットに変換され、アナログ出力端子２６で出力される。
【００２９】
システムのセキュリティを強化するため、少なくとも暗号化／復号化モジュール３４およびデジタル・アナログ変換モジュール４０は、単一の耐タンパー性モジュール、例えば単一のチップに含まれるのが好ましい。誰かが装置１０を開き、復号化されたデジタル・ストリームを入手しようとデータ・パスを調べることが実現不可能であるという意味において、これは「アナログ出力専用」に設定されたデジタル・コンテンツが、装置１０内では必ず暗号化されているということを意味する。
【００３０】
図３および図４は、装置１０を独立装置として構成したときの、装置の前部と後部をそれぞれ示す。図４に示すように、デジタル入出力ポート２０は、ＨＤＤ実装での標準ハード・ディスク・ドライブＩ／Ｏポートであってもよい。この装置は、ゲーム制御Ｉ／Ｏポート２７を含むこともできる。装置１０に電源を供給するために電源コネクタ４２も提供される。
【００３１】
図３に示すように、ハウジング３０から、アナログ出力端子２６およびデジタル・マルチメディア出力端子２４が突出している。コンテンツに対するユーザの要求を受信するために、ＩＲレシーバなどの遠隔制御命令信号受信機４４を提供することもできる。図３および図４に示す実施態様では、ユーザは、例えばビデオ店などのローディング・ステーションでコンテンツを装置１０にロードし、それを家に持ち帰ってテレビ・モニタその他の再生装置に接続することができる。
【００３２】
図５および図６は、本発明のマルチメディア記憶装置が、再生装置４８のベイ４６と係合してもよいことを示す。この実施態様では、上記で論じた記憶装置１０とその他のあらゆる本質的な点において同じであり、上記で論じた出力端子を装置５４のハウジング５２上にある一体型デジタル／アナログ出力パネル５０に置き換えることができる。パネル５０は、図５に示す装置４８と５４との間の情報伝達を円滑にするためにベイ４６内の相補的構造と係合する。再生装置４８は、さらにＩＲレシーバなどの遠隔制御命令信号受信機５６を含んでもよい。図６に最も良く示すように、アナログ映像出力、デジタル音声出力、デジタル制御入出力、アナログ音声出力、およびＳ映像出力を含む標準コネクタ５８は、テレビその他の表示装置に再生装置４８を接続するため、再生装置４８から突出させることができる。
【００３３】
限定されない標準的な実施態様において、記憶装置１０あるいは５４のコントローラは、コントローラが明白に装置自身を識別し、秘密鍵を安全な方法で交換し、当技術分野では周知の認証原則に従って明白に装置自身を認証することができるセキュリティ機構も含むことができる。具体的には、装置１０を例にとると、装置１０は一組の標準暗号プロトコルを実装してもよいが、それらをＨＤＤ保存のための総合的な保護方式に組み込むこともできる。この方式の主な特徴は、Ｎ個の異なるハンドシェイク・プロトコル（例えばＰＫＩシステム）が装置１０内に実装できることであるが、これらのハンドシェイク・プロトコルのうちＫ≦Ｎの場合のみに、装置１０が書き込みの権限をデータに与えることに成功しなければならない。これらのハンドシェイク・プロトコルはまた、装置を真の装置１０として識別することと、従って、悪意のある記憶装置が正規の装置を装って、デジタル・コンテンツを装置に提供するようにコンテンツ・ディスペンサを騙したりするのを回避すること、という目的に適っている。これらのハンドシェイク・プロトコルはまた、アナログ専用出力領域内に記憶されたデジタル・コンテンツに復号化鍵を提供するために使用することもできる。
【００３４】
さらに必要に応じて、そして上述したように、デジタル・コンテンツが決して有効にならないことを確実にするため、装置１０は、コントローラ１８が記憶媒体１２から切り離されない方法で構築されるのが好ましい。
【００３５】
限定されない好適な装置１０では、コンテンツの作成者により許容される程度までではあるが、コンテンツ・ストリームのシーケンスがユーザにより制御されるように設計される。再生、巻戻し、早送り、スキップ早送り、特定の時間／場面に行く、などのシーケンス操作の制限は、コンテンツが装置１０にロードされたときに設定される。例として、コンテンツ表示の初めに、著作権表示の早送り、スキップ早送り、および関連機能が無効になるよう装置１０に命令することが可能である。この制限機構のもう一つの用途は、コマーシャルセグメントの再生中に同機能（すなわち早送り、スキップ早送り、特定の時間／場面に行く等）を不許可にすることである。コマーシャル広告ブロックが放送映像ストリームに挿入されるのとほぼ同じ方法であり、コマーシャル広告ブロックのついた映像を見るのを厭わない人にとっては、レンタル費用を節減することにもなろう。
【００３６】
さらに必要に応じて、装置１０により、（ビデオ店での）コンテンツ・ディスペンサが、ビデオ店自体の広告を含むことができるようにする。この新しい広告ストリームは、様々な方法で、例えば劇場映画の作品上映の初めに予告編が現れるのとほぼ同じ方法で、ビデオの再生の初めに含めることができる。このことにより、ビデオ・レンタル店は、ビデオ店が所在する特定の地理的位置への広告を製作したり、ビデオをレンタルしている視聴者への広告を製作することまでできるようになるだけでなく、地域広告を組み込むこともできる。
【００３７】
好適な装置１０では、必要に応じて、記憶されたマルチメディア・データの終了時間を設定することができる。コンテンツを装置１０にロードするとき、カウンタを起動させて、データへのアクセスをいつ切断するか、あるいは、いつアナログ・フォーマットでの再生を終了するかを決定することができる。終了時間後は、データを消去したり、あるいはその他の方法で、効果的にアクセス不可能にすることができる。終了時間は、相対的、すなわちロード後の一定の合計時間であってもよく、あるいは絶対的、すなわち特定時刻であってもよい。
【００３８】
時間をベースにした終了に加え、利用法を通じて終了を設定することができる。すなわち、特定のコンテンツは、事前に指定された回数しかアクセスできないようにすることができる。一例として、レンタルされたビデオは、期限前に３回しか再生できない。
【００３９】
必要に応じて、上述の２つの終了方法は組み合わせが可能である。すなわち、利用法と時間の両方の機能として終了規則を設定することができる。一例として、最初にアクセスしてから４８時間で期限切れとなるようコンテンツを設定することができる。
【００４０】
上述した終了規則は、それらコンテンツの復号化鍵に適合さえしている様式であれば利用可能である。このように、一旦コンテンツが期限切れになったら、コンテンツ・ディスペンサへ、コンテンツのデータ自体の代わりに、そのコンテンツの復号化鍵の再ロードさえ行えばよい。
【００４１】
上述した本発明を用いれば、デジタル化形式のマルチメディア・コンテンツを提供できるとともに、その後ユーザに記憶装置の購入、あるいは記憶装置のレンタル、あるいは記憶装置上へのコンテンツのロードの代金を請求することができる。この装置の外部からの、デジタル化されている形式のコンテンツへのアクセスは防止される。コンテンツは、記憶装置の外部へ伝送することができるが、アナログ形式においてのみ可能である。
【００４２】
本願明細書に示され詳述される特定の「デジタル書き込み専用領域を有するマルチメディア記憶装置」は、上述した本発明の目的を完全に達成することができるが、本発明により広範にわたって意図されるものが本発明の目下の好適な実施態様であり、従って主題の代表的なものであるということ、本発明の範囲が、当業者には明白となり得る他の実施態様を完全に網羅するということ、そしてそれに応じて、本発明の範囲が、付属のクレーム以外の何物によっても限定されず、クレームにおける単数の形での構成要素の参照が、はっきりと記述されていなくとも「一つであり唯一である」ことを意味しようとするものではなく、むしろ「単数または複数」を意図される、ということが理解されよう。さらに、一装置あるいは一方法が、本発明により解決しようとする各問題および全問題を扱うということ、本クレームによりそれらを網羅するということは必要ではない。
【図面の簡単な説明】
【００４３】
【図１】ハード・ディスク・ドライブとして構成された本記憶装置の代表的な実施態様による斜視図であり、ハウジングの数カ所を切り欠いている。
【図２】コントローラのブロック図である。
【図３】独立型実施態様における記憶装置の前端部の斜視図である。
【図４】図３の記憶装置の後端部の斜視図である。
【図５】関連プレーヤの付いた記憶装置の分解斜視図である。
【図６】図５のプレーヤを別の角度から見た斜視図である。
【符号の説明】
【００４４】
１０：マルチメディア記憶装置（ハード・ディスク・ドライブ）、
１２：記憶媒体（ディスク）、
１４：アーム、
１６：読み出し／書き込みヘッド、
１８：コントローラ（制御ユニット）、
２０：入出力端子（デジタル・データ入出力ポート）、
２２：データ入出力経路、
２４：デジタル・マルチメディア出力端子（デジタル娯楽コンテンツ出力）、
２６：アナログ出力端子（アナログ娯楽コンテンツ出力）、
２７：制御入力端子、
２８：制限領域、
３０，５２：ハウジング、
３２：変調／復調およびエンコーディング／デコーディング・ブロック、
３４：暗号化／復号化モジュール、
３６：データ制御ユニット、
３８：デジタル信号処理（ＤＳＰ）ユニット、
４０：デジタル・アナログ変換モジュール、
４２：電源コネクタ、
４４，５６：遠隔制御命令信号受信機、
４６：ベイ、
４８：再生装置、
５０：デジタル／アナログ出力パネル、
５８：標準コネクタ。
【図１】
2005032248.tif 000003
【図２】
2005032248.tif 000004
【図３】
2005032248.tif 000005
【図４】
2005032248.tif 000006
【図５】
2005032248.tif 000007
【図６】
2005032248.tif 000008